(57)【要約】【課題】従来、デジタルカメラから無線通信により画像データを外部装置に送信して記憶させるシステムは、一対の対応関係を持ち、複数のデジタルカメラを使用する状況では、異なるデジタルカメラで撮像された複数の画像データが１つのファイル内に混在してしまい、ユーザ全員で確認しながら分配しなければならない。【解決手段】本発明は、狭いエリア内で１台の外部装置１１に、複数台のデジタルカメラ４１，５１から送信された画像データを同時又は順次に受信して、画像データに付与された製造番号による識別コードに基づき、設定されたディレクトリを検索し、該当するディレクトリに新たなファイル名を作成して画像データを記憶することにより、デジタルカメラ毎に設定されたディレクトリに撮像された画像データが分別されて記憶されるデジタルカメラ及び外部装置で構成されるカメラシステムである。【選択図】    図１
2006148215.tif 000002
【特許請求の範囲】
【請求項１】
画像データを無線送信可能な複数のデジタルカメラと、該複数のデジタルカメラから送信された画像データを受信して記録可能な外部装置とを具備するデジタルカメラシステムにおいて、
上記複数のデジタルカメラのそれぞれは、上記無線送信する画像データとともに当該カメラを識別するための識別コードを送信し、上記外部装置は上記識別コードに応じて受信した画像データを分別して記憶するようにしたことを特徴とするデジタルカメラシステム。
【請求項２】
画像データを無線送信可能な複数のデジタルカメラと、該複数のデジタルカメラから送信された画像データを受信して記憶可能な外部装置と、を具備するデジタルカメラシステムにおいて、
上記複数のデジタルカメラのそれぞれに設けられ、無線送信対象の画像データに当該カメラ固有の識別コードを付与する識別コード付与手段と、
上記外部装置に設けられ、受信した画像データを記憶する記憶手段と、
上記外部装置に設けられ、上記識別コードに応じて上記記憶手段に記憶する画像データを分類して記憶させる画像記憶制御手段と、
を具備することを特徴とするデジタルカメラシステム。
【請求項３】
上記カメラ固有の識別コードは、上記カメラの製造番号であることを特徴とする請求項２に記載のデジタルカメラシステム。
【請求項４】
複数のデジタルカメラから無線送信された画像データを受信して記録メディアに記録するデジタルカメラ用外部装置において、
上記受信画像データは上記記録メディアの上記複数のデジタルカメラ毎に設定されたディレクトリ下に格納されることを特徴とするデジタルカメラ用外部装置。
【請求項５】
上記受信画像データにはその画像を送信したカメラを識別する識別コードが付与されており、上記識別コードに応じて上記画像データを格納するディレクトリが選択されることを特徴とする請求項４に記載のデジタルカメラ用外部装置。
【請求項６】
上記ディレクトリは、上記識別コードに基づいて作成されることを特徴とする請求項４に記載のデジタルカメラ用外部装置。
【請求項７】
画像データを無線送信可能な複数のデジタルカメラと、
上記複数のデジタルカメラから送信された画像データを受信して記憶可能な外部装置とで構成され、
上記複数のデジタルカメラのそれぞれは、上記無線送信する画像データとともに当該カメラを識別するための識別コードを送信し、上記外部装置は上記識別コードに応じて受信した画像データを分別して記憶することを特徴とするデジタルカメラシステム。
【請求項８】
画像データを無線送信可能な複数のデジタルカメラと、
上記複数のデジタルカメラから送信された画像データを受信して記憶可能な外部装置と、で構成され、
上記複数のデジタルカメラのそれぞれに設けられ、無線送信対象の画像データに当該カメラ固有の識別コードを付与する識別コード付与手段と、
上記外部装置に設けられ、受信した画像データを記憶する記憶手段と、
上記外部装置に設けられ、上記識別コードに応じて上記記憶手段に記憶する画像データを分別して記憶させる画像記憶制御手段と、
を具備することを特徴とするデジタルカメラシステム。
【請求項９】
上記カメラ固有の識別コードは、上記カメラの製造番号であることを特徴とする請求項８に記載のデジタルカメラシステム。
【請求項１０】
上記記憶部は、上記デジタルカメラの識別コードに従うディレクトリを有し、該ディレクトリ内で画像データ毎に作成したファイルに受信された上記画像データが記憶されることを特徴とする請求項８に記載のデジタルカメラシステム。
【請求項１１】
画像データを無線送信可能な複数のデジタルカメラと、
上記複数のデジタルカメラから無線送信された画像データを受信し、着脱自在な記録メディアに記録する外部装置と、で構成され、
上記受信画像データは、上記記録メディアの記憶領域内で上記複数のデジタルカメラ毎に設定されたディレクトリ下に格納されることを特徴とするデジタルカメラシステム。
【請求項１２】
上記受信画像データには、その画像を送信したカメラを識別する識別コードが付与され、該識別コードに応じて上記画像データを格納するディレクトリを選択することを特徴とする請求項１１に記載のデジタルカメラシステム。
【請求項１３】
上記ディレクトリは、上記識別コードに基づいて作成されることを特徴とする請求項１１に記載のデジタルカメラシステム。
【請求項１４】
上記識別コードに応じた上記画像データを格納するディレクトリが存在しない際に、該識別コードに関連づけて新たにディレクトリを作成することを特徴とする請求項１３に記載のデジタルカメラシステム。
【請求項１５】
画像データを無線送信可能な複数のデジタルカメラと、
上記複数のデジタルカメラから無線送信された画像データを受信し、着脱自在な記録メディアに記録する外部装置と、で構成され、
上記記録メディアは、それぞれのデジタルカメラに各１個割り当てられて装着され、該それぞれのデジタルカメラから送信された画像データが、割り当てられた上記記録メディアにのみ記憶されることを特徴とするデジタルカメラシステム。
【発明の詳細な説明】
【技術分野】
【０００１】
本発明は、複数のデジタルカメラから無線送信された識別コードを伴う画像データを受信し、画像データを識別コードに従い分別して記録する外部装置からなるデジタルカメラ及び外部装置で構成されるカメラシステムに関する。
【背景技術】
【０００２】
一般に、デジタルカメラは結像した被写体像を光電変換により画像データとして撮像している。この画像データは、画像精度（解像度）によりデータ容量が異なるが、カメラ用の記録メディアの記憶容量に対しては比較的大きな容量であるため、撮像枚数が限られている。カメラ本体に大容量の記録装置を搭載することも可能であるが、カメラ本体が大きく重くなったり、電池の消費電力が増大したりする。
【０００３】
このため、撮像時には複数の記録メディアを携帯するか、記録メディアの残容量が無くなる度に、パソコン等の大容量ハードディスク（ＨＤＤ）を搭載する外部装置に画像データを移動させるかという手法を取らなければならない。
【０００４】
この問題を解決するものとして、通信機能をデジタルカメラに搭載して、撮像した画像データを無線通信等により外部装置に送信するシステムが種々提案されている。例えば、特許文献１においては、撮像した画像データを無線通信手段によって大容量の記憶媒体を有する外部装置へ転送する技術が提案されている。特許文献２には、要求信号に応じて撮像データを無線送信する監視カメラと、そのデータを記憶する監視装置が提案されている。さらに、特許文献３には、カメラから外部装置へ撮像データを送信し、外部装置側で表示及び記録を行う技術が提案されている。また、特許文献４には、ホームサーバの無線通信エリア内に入ったことを検出したら、ホームサーバに画像データを送信する。
【特許文献１】特開平１１−２８４８９４号公報
【特許文献２】特開２０００−０５９７５８
【特許文献３】特開２００３−１０１８３８
【特許文献４】特開２００２−１９９１２１
【発明の開示】
【発明が解決しようとする課題】
【０００５】
前述した各特許文献においては、画像データを無線送信するデジタルカメラとその画像データを受信する外部装置とは、一対一対応のシステムとしてデータ授受が説明されている。
【０００６】
しかし、このような通信システムの実使用状況を考えると、必ずしも一対一で使用するケースばかりではない。例えば、撮影会など、１つの小さなエリア内で複数のデジタルカメラを使用する状況もある。つまり、複数台の画像データを送信するデジタルカメラが用いられ、それらのデジタルカメラから順次又は一斉に画像データが送信され、これらの画像データを１台の外部装置で受信するというシステムが必要となる。
【０００７】
従って、複数のデジタルカメラからの画像データを１台の外部装置が順番に受信して単に記憶した場合には、異なるデジタルカメラで撮像された複数の画像データが１つのファイル内に混在してしまい。撮影者全員で確認しながら分配しなければならなくなる。この分配の問題は、前述した特許文献１乃至４においては、効果的かつ簡単に解消できるような構成は開示されていない。
【０００８】
そこで本発明は、複数のデジタルカメラにより撮像されて一斉又は順次送信される画像データを外部装置で受信し、受信した各画像データを効果的且つ簡単に分別整理して記憶できるデジタルカメラ及び外部装置で構成されるカメラシステムを提供することを目的とする。
【課題を解決するための手段】
【０００９】
本発明は上記目的を達成するために、画像データを無線送信可能な複数のデジタルカメラと、該複数のデジタルカメラから送信された画像データを受信して記録可能な外部装置とを具備するデジタルカメラシステムにおいて、上記複数のデジタルカメラのそれぞれは、上記無線送信する画像データとともに当該カメラを識別するための識別コードを送信し、上記外部装置は上記識別コードに応じて受信した画像データを分別して記憶するようにしたことを特徴とするデジタルカメラシステムを提供する。
【００１０】
さらに、複数のデジタルカメラから無線送信された画像データを受信して記録メディアに記録するデジタルカメラ用外部装置において、上記受信画像データは上記記録メディアの上記複数のデジタルカメラ毎に設定されたディレクトリ下に格納されるデジタルカメラ用外部装置を提供する。
【００１１】
以上のような構成のデジタルカメラ及び外部装置で構成されるカメラシステムは、狭いエリア内で１台の外部装置に、複数台のデジタルカメラから送信された画像データを同時又は順次に受信して、画像データに付与された製造番号による識別コードに基づき、設定されたディレクトリを検索し、該当するディレクトリに新たなファイル名を作成して画像データを記憶することにより、デジタルカメラ毎に設定されたディレクトリに撮像された画像データが分別されて記憶される。
【発明の効果】
【００１２】
本発明によれば、複数のデジタルカメラにより撮像されて一斉又は順次送信される画像データを外部装置で受信し、受信した各画像データを効果的且つ簡単に分別整理して記憶できるデジタルカメラ及び外部装置で構成されるカメラシステムを提供することができる。
【発明を実施するための最良の形態】
【００１３】
以下、図面を参照して本発明の実施形態について詳細に説明する。  
図１には、本発明のデジタルカメラシステムにおける一実施形態の概念的なシステム構成を示し、詳細に説明する。  
本実施形態は、無線通信機能を有する複数のデジタルカメラ４１，５１及びこれらのデジタルカメラ４１，５１から無線送信された画像データを受信する外部装置１１とで構成される。ここで、デジタルカメラ４１とデジタルカメラ５１は同じ構成であるため、以下、デジタルカメラ４１を例として説明する。
【００１４】
図１に示すデジタルカメラ４１は、カメラ正面に設けられた撮像光学系となるレンズ筒鏡４２と、カメラ背面に設けられたファインダ４４と、カメラ上面に設けられた電源スイッチ（メインスイッチ）４５と、レリーズボタン４６及びＬＥＤ等からなる警告部４７と、カメラ側面に設けられた回動可能なアンテナ部４３とを備えている。ここで図示されているデジタルカメラ４１の構成部位は、本発明の要旨に必要な構成部位のみを示しており、実際には、内蔵する電池や撮影モードの選択スイッチ等、通常のデジタルカメラが搭載する構成部位は備えているものとする。本実施形態では、カメラ本体の小型化、低コスト化を図るため、液晶ディスプレイを搭載していないが、ファインダ４４に代わって、液晶ディスプレイを搭載して撮像される被写体や撮像に関する情報を表示させることも可能である。
【００１５】
アンテナ部４３は、軸４３ａにより回動自在に軸止されている。この例では、アンテナ部４３は、露出する固定バーアンテナを一例としているが、他のタイプであってもよく、例えば、使用時に外部に延出させる伸縮可能なバーアンテナであってもよいし、カメラ本体内に内蔵されるアンテナでもよい。通信に使用される無線周波数は、法的に割り当てられた周波数帯内であれば、特に限定されず、その帯域の中から好適する周波数を用いればよい。
【００１６】
外部装置１１は、携帯が容易な小型パソコンやＰＤＡ（personal digital assistans）が想定される。外部装置１１の上面には、画像やその画像に関するデータを表示するモニタ画面１２と、電源スイッチ１３と、表示消し（ＯＦＦモード）を含むモニタ画面１２に表示される情報及び画像における表示モードを選択する表示モードダイアルスイッチ１７と、モニタ画面１２に表示される画像を選択するための画像選択ボタン１８，１９とが設けられている。また、側面には、着脱自在なメモリ媒体１６を装着するコネクタ部１５と、送信された画像データを受信するためのアンテナ１４と、アンテナ１４を回動自在に軸止する軸１４ａとが設けられている。本実施形態は、複数台のデジタルカメラと１台の外部装置とのシステムであり、図１では２台のデジタルカメラを示しているが、これは一例であり、限定されるものではない。
【００１７】
図２は、デジタルカメラ４１の構成を示すブロック図である。  
このデジタルカメラ４１は、レンズ鏡筒４２に収納され、ズーム機能及びオートフォーカス機能を有し、被写体像を結像する撮像光学系２１と、結像された被写体像を受光し光電変換により画像信号を生成する半導体撮像素子例えば、ＣＣＤからなる撮像部２２と、撮像部２２により生成された画像信号にデジタル化及び色補正等の画像処理を施して、画像データを生成する信号処理部２３と、各画像データに後述する識別コードを付与する識別コード付与部２４と、識別コードが付与された画像データの送信や外部装置１１からの情報をアンテナ３から送受信する通信部２５と、図示しない電池及び電源スイッチ１３等を含む電源供給部２６と、レリーズボタン４６の挿下に連動してオンし、撮像を開始するレリーズスイッチ２８と、画像データの送信エラーやその他のエラーが発生した際に撮影者に警告する警告部２７と、これらの構成部位全体を制御する制御部（ＣＰＵ等）２０とで構成される。
【００１８】
画像データの送信にあたり、信号処理部２３は生成した画像データそのまま送信してもよいが、送信する画像データに画像圧縮処理を施し、データ量を減らして通信時間を短くすることが好ましい。また、識別コード付与部２４は、識別コードが付与された画像データを少なくとも１画像データ分を一時記憶するメモリを有しており、送信に失敗した場合には、再度メモリから読み出して送信し、送信されたことが確認された後、送信済みの画像データを消去する、又は、次に撮影された画像データを上書きする。本実施形態の警告部２７において、例えば赤色ＬＥＤの点灯又は点滅により撮影者に警告を与えているが、警告音であってもよいし、これらを組み合わせてもよい。またエラー警告だけではなく、例えば、緑色ＬＥＤを併設して、正常に画像データが送信された際に点灯するように構成してもよい。また通常、識別コードは、数字や文字が羅列された表記であればよい。本実施形態では、識別コードとしてデジタルカメラの製造時に付与される製造番号を用いる。また、本実施形態によるデジタルカメラ４１は、通信を使用するにあたって、外部装置１１にそのデジタルカメラの識別コードを登録する手続が必要である。この手続は、ユーザが外部装置１１を操作して直接入力させてもよいし、通信開始にあたってデジタルカメラ４１側から外部装置１１に識別コードを付与したデータを送信して、その識別コードを自動的に登録させるように構成してもよい。
【００１９】
図３は、外部装置１１の電気的な構成を示すブロック図である。  
この外部装置１１は、所定情報の送信又はデジタルカメラ４１からの画像データを受信するアンテナ１４と、受信した画像データに付与されている識別コードに従った記憶先（ディレクトリ）を検索して、該当する又は新たに作成したディレクトリに画像データを記憶制御する画像記憶制御部３２と、記憶制御部３２に指示されるディレクトリに画像データを記憶する記憶部３３と、記憶部３３に着脱自在な例えば、メモリカードやＤＶＤからなる記憶媒体１６と、画像データや種々の画像に関する情報をモニタ画面１２に表示させる表示部３５と、装置全体を制御する制御部３７と、制御部３７の指示により選択された画像データを記憶部３３から読み出す読出部３４と、表示モードダイアルスイッチ１７及び画像選択ボタン１８，１９を含むモニタ画面１２に表示させる画像や情報を指示する表示指示部３６とで構成される。
【００２０】
本実施形態における記憶部３３は、受信する画像データの処理速度がメモリ媒体１６への画像データの書き込み速度よりも速いことを想定して、一時的に記憶してバッファ的に作用するメモリ部を備えている。しかし、メモリ媒体１６への画像データの書き込み速度が受信処理速度よりも速い又は同等であれば、メモリ部は不要であり、受信した画像データをそのまま直にメモリ媒体１６に記憶させる構成でもよい。尚、デジタルカメラ４１が画像データを送信する際に、データ量を減らすために画像データを圧縮した場合、その圧縮した状態の画像データのまま記録メディア１６に記憶させてもよい。又は、画像記憶制御部３２において、圧縮画像を解凍して元に戻し、復元した画像データのまま記憶させてもよいし、異なる形式に変換して記憶してもよい。
【００２１】
図４に示すフローチャートを参照して、このように構成されたデジタルカメラシステムにおけるデジタルカメラによる撮像処理及び画像データの送信処理について説明する。ここでは、デジタルカメラ４１を例として説明するが、同時に使用されるデジタルカメラ５１も同様である。
【００２２】
まず、デジタルカメラ４１に電池を入れた状態でデジタルカメラのメインスイッチ４５がユーザによってオンされると、カメラ全体の電気回路に電源供給がなされ、所定の初期状態（又は、設定状態）設定がなされる（ステップＳ１）。尚、この時に外部装置１１は動作状態であるものとし、停止状態であれば、電源スイッチ１３をオンさせて起動させる。デジタルカメラ４１の識別コードも既に登録されているものとする。
【００２３】
その後、レリーズボタン４６が挿下されて、レリーズスイッチ２８がオンしたか否かを判定する（ステップＳ２）。この判定で、レリーズスイッチ２８がオンしたならば（ＹＥＳ）、撮像部２２による撮像が行われる（ステップＳ３）。撮像部２２から撮像された画像信号が信号処理部２３でデジタルデータ化され、ホワイトバランスや色補正等の画像処理が施される（ステップＳ４）。この時に、前述したように通信時間の短縮化を図るために画像データの圧縮処理を施してもよい。
【００２４】
次に、画像処理された画像データの先頭側に識別コードを付与する（ステップＳ５）。この識別コードは、本実施形態においては、カメラの製造番号を識別コードとして用いている。勿論、製造番号の桁が多すぎて、識別コードとして適さない場合には、下数桁等の任意桁数に適宜短くして用いてもよい。このデジタルカメラから送信される画像データに対しては、全て同じ識別番号が付与されることとなる。従って、複数のデジタルカメラを同時に利用したとしても製造番号が異なっているため、当然、識別コードも異なり、受信する側では容易に分別ができる。
【００２５】
識別コードが付与された画像データは、通信部２５により無線送信される（ステップＳ６）。その無線送信により画像データが外部装置１１に正常に受信されたか否かを判定する（ステップＳ７）。この判定は、例えば、正常に通信が完了した場合には、外部装置１１側から通信完了の信号を送信させて、この完了信号を受信したことで判定を行ってもよい。この判定で、通信が正常に行われたならば（ＹＥＳ）、ステップＳ２に戻り、次の撮像に移行する。一方、通信が正常に行われなかった場合には（ＮＯ）、警告部２７により撮影者に警告を行った後（ステップＳ８）、ステップＳ６に戻り、再度、画像データの送信を行う。尚、システムは正常に動作しているが、デジタルカメラ４５と外部装置１１との距離が通信可能な距離を超えて無線が届かない場合にも、通信エラーとして警告部２７を点灯又は点滅させてもよい。
【００２６】
また、前記ステップＳ２の判定において、レリーズスイッチ２８がオンされなかった場合には（ＮＯ）、メインスイッチ４５がオフされたか否かを判定する（ステップＳ９）。この判定でメインスイッチ４５がオフされていたならば（ＮＯ）、カメラの電源をオフして（ステップＳ１０）、再びメインスイッチ４５がオンされるまで待機状態となる（ステップＳ１１）。一方、メインスイッチ４５がオフされていなければ（ＮＯ）、ステップＳ２に戻り、レリーズスイッチ２８がオンされるまで待機状態を保持する。
【００２７】
ここで、図５は送信される画像データの構造の一例を示す。  
送信用画像データは、データの先頭部分を表すＳＯＩ（Start of Image）コード領域、付属データ領域、画像データ領域、データの終端を表すＥＯＩ（End of Image）コード領域とから構成される。このデータ構成は、一般的なＪＥＩＤＡ規格（「ＪＥＩＤＡ規格  カメラファイルシステム規格」ＤＣＦ Varsion1.0 JEIDA-49-2-1998 平成１０年１２月制定  日本電子工業振興協会）に沿うカメラファイルシステムフォーマットである。付属データとしては、仮ファイル名、撮影日時、画像形式、メーカ名、カメラ機種名及び、製造番号（識別コードとして用いる）等により構成されている。画像データとしては、ＪＰＥＧ圧縮データを例としている。勿論、圧縮形式はこれに限定されるものではない。
【００２８】
次に、図６に示すフローチャートを参照して、デジタルカメラシステムにおける外部装置による画像データの受信処理及び画像記録処理について説明する。  
まず、外部装置１１の電源スイッチ１３をオンする（ステップＳ２１）。このオン動作により装置が起動して、初期状態に設定され、例えば、モニタ１２にメニュー画面が表示される。この時、予め立ち上がり画面が任意に設定されていた場合には、その設定表示となる。
【００２９】
次に、表示モードダイアルスイッチ１７を操作して、モニタ１２の画面に表示されるメニュー画面から画像表示モードが選択されたか否かを判定する（ステップＳ２２）。この判定で画像表示モードが選択されたならば（ＹＥＳ）、カメラ別に作成されているディレクトリが表示され、画像選択ボタン１８，１９を操作して所望するディレクトリを選択する（ステップＳ２３）。ディレクトリが選択されると、そのディレクトリの最後に記憶された画像、即ち、最新画像が読み出され（ステップＳ２４）、モニタ画面１２に表示される（ステップＳ２５）。
【００３０】
その後、画像選択ボタン１８，１９を操作して、表示されている画像よりも以前に撮像された画像（前コマ）を選択したならば（ステップＳ２６：ＹＥＳ）、そのディレクトリから前コマの画像が読み出され（ステップＳ３１）、ステップＳ２５に戻り、モニタ画面１２に表示される。現在表示されている画像が最新画像でない場合に、前コマが選択されず（ＮＯ）、表示されている画像よりも以降に撮像された画像（後コマ）を選択したならば（ステップＳ２７：ＹＥＳ）、そのディレクトリから後コマの画像が読み出され（ステップＳ３２）、ステップＳ２５に戻り、モニタ画面１２に表示される。
【００３１】
そして、これらの画像表示を行っている際中に、デジタルカメラからの通信要求の割り込みの有無を判定する（ステップＳ２８）。この判定で通信要求があれば（ＹＥＳ）、表示している画像を消して画像表示を終了させて、画像データ受信可能状態となる。次に、デジタルカメラから送信された画像データを通信部３１で受信し（ステップＳ２９）、画像記憶制御部３２の制御により、記憶部３３に装着されているメモリ媒体１６内の識別コードに従ったディレクトリに記憶させる（ステップＳ３０）。記憶が完了した後、ステップＳ２２に戻る。この時、受信された画像の記憶が完了するまでの間、その受信画像をモニタ画面１２に表示させてもよい。
【００３２】
また上記ステップＳ２２の判定において、表示モードが選択されなかった場合には（ＮＯ）、デジタルカメラ４１からの通信要求の割り込みの有無を判定する（ステップＳ３３）。この判定で、通信要求が無ければ（ＮＯ）、ステップＳ２２に戻り、メニュー画面の表示して受信可能状態を維持する。一方、通信要求があれば（ＹＥＳ）、デジタルカメラから送信された画像データを通信部３１で受信し（ステップＳ３４）、画像記憶制御部３２の制御により、記憶部３３に装着されているメモリ媒体１６内の識別コードに従ったディレクトリに記憶させる（ステップＳ３５）。その後、ステップＳ２２に戻り、同様にメニュー画面を表示する。
【００３３】
図７は、本実施形態におけるディレクトリ／ファイル構造の一例を示す図である。  
このディレクトリ／ファイル構造は、前述したＪＥＩＤＡ規格に沿う構造である。図７に示すように、ルートディレクトリ：ＲＯＯＴ／イメージルートディレクトリ：ＤＣＩＭ／イメージディレクトリ：例えば１００ＡＢＣＤＥ等／イメージファイル：例えばＡＢＣＤ０００１．ＪＰＧにより構成されている。この規格に沿ったイメージファイルは、先頭４文字は自由文字、続く４桁番号はファイル番号である。ファイル番号が連番の場合に、欠番があってもよい。ＤＣＦ基本ファイルでない画像（拡張子が異なる）を記録する場合は、ＤＣＦ拡張画像ファイルであるものとする。ＤＣＦ拡張画像ファイルは、ＤＣＦサムネイルファイルを伴ってもよい。
【００３４】
次に図８に示すフローチャートを参照して、前述した装置側シーケンスのステップＳ３０，Ｓ３５における画像記録処理について説明する。  
まず、デジタルカメラ４１から送信された画像データを受信して、識別コードを読み込む（ステップＳ４１）。読み込んだ識別データが予め登録されているか否かを判別する（ステップＳ４２）。この判別で登録されている識別データであれば（ＹＥＳ）、対応するディレクトリを検索する（ステップＳ４３）。この検索において、対応するディレクトリの有無を判定し（ステップＳ４４）、対応するディレクトリが無かった場合には（ＮＯ）、新たに対応するディレクトリを作成する（ステップＳ４５）。一方、ステップＳ４２の判定において、読み込んだ識別コードが登録されていなければ（ＮＯ）、外部装置１１の制御部３７は、新たに登録処理を行い（ステップＳ４６）、ステップ４５に移行して、新たに識別コードに対応するディレクトリを作成する。この作成は、所定の変換アルゴリズムによってディレクトリ名を作成する。尚、ディレクトリ名の検索においても同様に行う。
【００３５】
次に、対応するディレクトリを作成した後、又はステップＳ４４で対応するディレクトリが有った場合には（ＹＥＳ）、そのディレクトリ内で重複しないファイル名を作成する。このファイル名は、例えば、番号及び／又は文字により作成される。作成の後、受信した画像データにこのファイル名を付して、記憶部３３のメモリ部又はメモリ媒体１６に格納し（ステップＳ４７）、リターンする。
【００３６】
また、本実施形態における無線通信において、通信に利用される無線周波数を識別コード毎、即ちデジタルカメラ毎に異なる周波数を割り付けることにより、複数台のカメラの通信に対して、送信待ちが生じないように同時に受信することも可能である。
【００３７】
以上説明したように、本発明のデジタルカメラ及び外部装置によるカメラシステムは、特定のエリア内で１台の外部装置に対して、複数台のデジタルカメラから送信される画像データを同時又は順次に受信して画像データに付与された製造番号による識別コードに基づき、画像データを記憶すべきディレクトリを検索し、該当するディレクトリに新たなファイル名を作成して画像データを記憶することかできる。従って、デジタルカメラ毎に設定されたディレクトリに撮像された画像データが分別されて記憶されるため、複数のデジタルカメラからの送信された画像データが１つのディレクトリの中に混在してしまうことを防止することができる。
【００３８】
次に、前述した一実施形態の変形例について説明する。  
前述した実施形態では、１つの着脱自在な記録メディアを例として説明したが、本変形例は、複数の着脱自在な記録メディアが装着可能に構成される。一実施形態では、複数のデジタルカメラからの画像データを識別コードに従い、記憶部又は１つの記録メディアに設定したディレクトリに記憶させる構成であった。従って、カメラを所有するユーザが異なる場合には、ユーザが所有する記録メディアを記憶部の記録メディア装着部に装着して、外部装置１１から該当するディレクトリに記憶される画像データを読み出して移動しなければならない。この操作をカメラの台数毎に繰り返し行わなければならない。
【００３９】
この変形例では、記憶部に複数の記録メディア装着部を設けている。それぞれのユーザが所有する記録メディアを外部装置１１に設けられた記録メディア装着部にそれぞれ装着して、デジタルカメラと記録メディアとの対応付けを行う。勿論、同時に全ての記録メディアを外部装置に装着しなければならない必要はなく、他のデジタルカメラによる送受信が行われているときでも適宜、装脱着を行うことができる。受信した画像データに付与されている識別コードにより、まず記録すべき記録メディアを選択し、その記録メディア内で対応ディレクトリの検索を行う。次に、検索に該当したディレクトリにファイル名を作成して画像データを記憶する。
【００４０】
以上のような変形例によれば、一実施形態による作用効果に加えて、ユーザが異なる場合に、ユーザ所有の記録メディアに、ユーザが撮像した画像データのみが記憶されるため、記録メディアの装置脱着が自在に行え、途中から撮像に参加したり離脱したりすることができる。また、撮像時に識別コードを用いて、該当するユーザの記録メディアに画像データが記憶されるため、撮影終了後に、ユーザの記録メディアに移し替える作業が省略できる。
【図面の簡単な説明】
【００４１】
【図１】本発明のデジタルカメラシステムにおける一実施形態の概念的なシステム構成を示す図である。
【図２】一実施形態におけるデジタルカメラの構成例を示すブロック図である。
【図３】一実施形態における外部装置の電気的な構成例を示すブロック図である。
【図４】一実施形態におけるデジタルカメラによる撮像処理及び画像データの送信処理について説明するフローチャートである。
【図５】一実施形態における送信される画像データの構造の一例を示す図である。
【図６】一実施形態における外部装置による画像データの受信処理及び画像記録処理について説明するためのフローチャートである。
【図７】一実施形態におけるディレクトリ／ファイル構造の一例を示す図である。
【図８】一実施形態における装置側シーケンスの画像記録処理について説明するためのフローチャートである。
【符号の説明】
【００４２】
１１…外部装置、１２…モニタ画面、１３…電源スイッチ、１４…アンテナ、１４ａ…軸、１５…コネクタ部、１６…メモリ媒体、１７…表示モードダイアルスイッチ、１８，１９…画像選択ボタン、２７…警告部、４１，５１…デジタルカメラ、４２…レンズ筒鏡、４３…アンテナ部、４３ａ…軸、４４…ファインダ、４５…電源スイッチ（メインスイッチ）、４６…レリーズボタン。
【図１】
2006148215.tif 000003
【図２】
2006148215.tif 000004
【図３】
2006148215.tif 000005
【図４】
2006148215.tif 000006
【図５】
2006148215.tif 000007
【図６】
2006148215.tif 000008
【図７】
2006148215.tif 000009
【図８】
2006148215.tif 000010